(57)【要約】【課題】  運搬、組立て、清掃の作業性が良好な軽量の樹脂製防塵ネットを用い、部分的な補修が容易で、熱交換器の大きさに応じて防塵ネットの大きさを設定可能となり、冷却風の圧力に耐え得る適度な剛性のある建設機械用熱交換器の防塵ネットを提供することを課題とする。【解決手段】  複数の熱交換器を直列または並列に配置した建設機械用熱交換器の前面に設けて粉塵の吸込みを防止し、熱交換器のフィンの目詰まりを防止するための防塵ネットにおいて、この防塵ネットが小型で定型の樹脂製防塵ネットを単位要素として複数枚同一平面状に接合して熱交換器の前面のサイズに合う大型の組合せネットを形成するように構成する。【選択図】        図１
2008241128.tif 000002
【特許請求の範囲】
【請求項１】
複数の熱交換器を直列または並列に配置した建設機械用熱交換器の前面に設けて粉塵の吸込みを防止し、熱交換器のフィンの目詰まりを防止するための防塵ネットにおいて、
この防塵ネットが小型で定型の樹脂製防塵ネットを単位要素として複数枚同一平面状に接合して熱交換器の前面のサイズに合う大型の組合せネットを形成したことを特徴とする建設機械用熱交換器の防塵ネット。
【請求項２】
前記組合せネットは、前記樹脂製防塵ネットの複数枚を、ボルト、リベット、溶着、接着剤のいずれかの固着手段にて接合し、熱交換器の前面のサイズに合う防塵ネットとしたことを特徴とする請求項１記載の建設機械用熱交換器の防塵ネット。
【請求項３】
前記組合せネットは、隣合う各樹脂性防塵ネットの枠材に厚み方向の段差を設け、各隣合う枠材同士を重ねた位置と枠材を重ねていない位置とがほぼ同等の厚みになるように、前記枠材の段差の厚み寸法を設定したことを特徴とする請求項１記載の建設機械用熱交換器の防塵ネット。
【発明の詳細な説明】
【技術分野】
【０００１】
本発明は、建設機械用熱交換器の防塵ネット、詳しくは、複数の熱交換器を直列または並列に配置した建設機械用熱交換器の粉塵防止用に用いられる防塵ネットに関するものである。
【背景技術】
【０００２】
建築、土木作業等で使用される建設機械は、多くの粉塵の中での作業であり、多くの粉塵が混じった冷却風により、直列または並列に配置されたラジエータ、オイルクーラ、インタークーラ等の熱交換器のフィンを目詰まりしづらくするために、熱交換器の冷却風吸い込み側に防塵ネットを設置している（特許文献１，２，３）。
防塵ネットは、図４の直列配置の図に示すように、オイルクーラ、ラジエータ、インタークーラ等の熱交換器１を直列に並べてフレーム２で囲み、そのフレーム２の大きさの鉄枠に鉄製の網３を取り付け、また、図５の並列配置の図に示すように、オイルクーラ、ラジエータ、インタークーラ等の熱交換器１を並列に並べてフレーム２で囲み、そのフレーム２の大きさの鉄枠に鉄製の網３を取り付け、取付部およびファンカバー４の中に設置されたファン（図示せず）による冷却風の圧力に耐え得る剛性を持たせた構造となっており、清掃時に取り外しができるように、フレーム２にボルト、クリップ、蝶ねじ等の着脱可能な締結部品５により固定され、粉塵の混じった冷却風による熱交換器１の目詰まりを防止していた。
また、防塵ネットのネットをスポンジ状フィルタにより形成して、冷却風を積極的に清浄化するようにしたものもあった（特許文献４）。
【０００３】
【特許文献１】特開２００３−３２２４８８公報
【特許文献２】特開２００３−３２２４８９公報
【特許文献３】特開２００１−３４２６４５公報
【特許文献４】特開２００１−３３６４２０公報
【０００４】
〔従来技術の問題点〕
しかしながら、通常の建設機械用熱交換器の防塵ネットは、大型の鉄製で一枚ものであるため重いものであり、運搬や熱交換器の組立て作業に加え、粉塵を取り除くため頻繁に行なわれる清掃作業も、作業効率を低下させていた。
また、何らかの原因で破壊した場合、補修が困難で、防塵ネットを丸ごと交換することになっていた。
さらにまた、建設機械用熱交換器の大型で一枚ものの防塵ネットを成形するための型作成費用や、熱交換器の大きさごとに防塵ネットの型を用意しなければならなったため、コストが高くなっていた。
これらの点を考慮して、大型で一枚ものの防塵ネットを樹脂製にした場合には、メッシュ部分は面積が大きいため中心部が冷却風の圧力によりたわみが発生するようになるから、鉄製のメッシュに比べ剛性が不足しており、採用が難しかった。
【発明の開示】
【発明が解決しようとする課題】
【０００５】
本発明は、従来の技術における前記問題点に鑑みて成されたものであり、これを解決するため具体的に設定した技術的な課題は、運搬、組立て、清掃の作業性が良好な軽量の樹脂製防塵ネットを用い、部分的な補修が容易で、熱交換器の大きさに応じて防塵ネットの大きさを設定可能となり、冷却風の圧力に耐え得る適度な剛性のある建設機械用熱交換器の防塵ネットを提供することにある。
【課題を解決するための手段】
【０００６】
本発明における前記課題が効果的に解決される建設機械用熱交換器の防塵ネットを特定するために、必要と認める事項の全てが網羅され、具体的に構成された、課題解決手段を以下に示す。
建設機械用熱交換器の防塵ネットに係る第１の課題解決手段は、複数の熱交換器を直列または並列に配置した建設機械用熱交換器の前面に設けて粉塵の吸込みを防止し、熱交換器のフィンの目詰まりを防止するための防塵ネットにおいて、この防塵ネットが小型で定型の樹脂製防塵ネットを単位要素として複数枚同一平面状に接合して熱交換器の前面のサイズに合う大型の組合せネットを形成したことを特徴とするものである。
【０００７】
同上建設機械用熱交換器の防塵ネットに係る第２の課題解決手段は、前記組合せネットは、前記樹脂製防塵ネットの複数枚を、ボルト、リベット、溶着、接着剤のいずれかの固着手段にて接合し、熱交換器の前面のサイズに合う防塵ネットとしたことを特徴とする。
同上建設機械用熱交換器の防塵ネットに係る第３の課題解決手段は、前記組合せネットは、隣合う各樹脂性防塵ネットの枠材に厚み方向の段差を設け、各隣合う枠材同士を重ねた位置と枠材を重ねていない位置とがほぼ同等の厚みになるように、前記枠材の段差の厚み寸法を設定したことを特徴とする。
【発明の効果】
【０００８】
建設機械用熱交換器の防塵ネットに係る第１の課題解決手段では、防塵ネットが軽量化され、各種建設機械用熱交換器の前面のサイズに合う大型の組合せネットが形成でき、運搬、組立て、清掃等の作業性を向上することができ、さらに、部分的な補修が容易で、冷却風の圧力に耐え得る適度な剛性のある軽量な樹脂製防塵ネットが実現できる。
【０００９】
建設機械用熱交換器の防塵ネットに係る第２の課題解決手段では、固着方法の選択が広くなり、着脱自在にも、恒久的に固着することもどちらにも作成できて、剛性の高い任意の大きさの熱交換器に合わせた大きさの軽量な樹脂製防塵ネットができる。
建設機械用熱交換器の防塵ネットに係る第３の課題解決手段では、小型防塵ネットを組み合わせて大型の組合せネットを形成したとしても、必要な剛性を有しながら厚みを必要以上に厚くすることなく形成でき、防塵ネットの取り扱いを容易にすることができる。
【発明を実施するための最良の形態】
【００１０】
以下、本発明による最良の実施形態を具体的に説明する。
ただし、この実施形態は、発明の趣旨をより良く理解させるため具体的に説明するものであり、特に指定のない限り、発明内容を限定するものではない。
また、従来の技術で説明したものと同じものは同じ符号を付して具体的な説明を省略する。
【００１１】
〔構成〕
この実施形態における建設機械用熱交換器の防塵ネットは、図１に示すように、ＰＰ（ポリプロピレン）等の樹脂製の縦横３００〜３５０ｍｍの正方形に形成された小型ネット１０を、熱交換器の大きさに応じて必要な枚数の小型ネット１０を同一平面になるように並べて広い面積の組合せネット３０に構成してなる。
【００１２】
単一の小型ネット１０は、図２に示すように、ネット部１１の外周部に、長さ３００〜３５０ｍｍ、厚み約２ｍｍで、２辺を幅約１５ｍｍの太幅に形成された太枠１２ａと、残り２辺を太枠１２ａの半分の幅に形成された細枠１２ｂと、の２種の枠の組合せにより形成した枠体１２を設ける。この枠体１２は、ネット部１１の表と裏のそれぞれ１枚ずつを互いに太枠１２ａと細枠１２ｂとを組み合わせるように重ね合わせてネット部１１の外周部を挟持してネット部１１とともに接着する。これにより、太枠１２ａと細枠１２ｂとが組み合わされた部位（以下、重合せ部位という）は、太枠１２ａの半分の幅だけ表側または裏側のいずれか一方の枠体１２が外方に突出するようになる。このため、重合せ部位の突出部１２ｃは接着された枠体１２，１２のほぼ半分の厚みを有する部位に形成される。
【００１３】
組合せネット３０を形成するためには、小型ネット１０の枠体１２の重合せ部位の突出部１２ｃと隣合う小型ネット１０の枠体１２の重合せ部位の突出部１２ｃとを重ねて接着または着脱自在な締結部品により固着して、所定の大きさに広げていく。このようにして形成された組合せネット３０では、各枠体１２，１２の重合せ部位の突出部１２ｃ，１２ｃが固着された状態でほぼ枠体１２の重合せ部位の突出部１２ｃ，１２ｃ以外の箇所の厚みに等しくなり、全体としてほぼ一様で大きな樹脂製の防塵ネットが形成されて、熱交換器のサイズに合う大型の防塵ネットが形成される。
組合せネット３０を形成するための固着方法には、ボルト、リベット、溶着、接着剤のいずれかの固着方法にて接合する。例えば、ボルト１３・ナット１４による締結の場合では、図３に示すように、各枠体１２，１２の重合せ部位の突出部１２ｃ，１２ｃを互いに重ね合わせ、穿設されたボルト孔１２ｄ，１２ｄに座金１３ａを同心的に設けた上で両方にボルト１３のねじ部を挿通し、枠体１２から突き出したボルト１３のねじ部の先端に座金１４ａを嵌めるとともにナット１４を螺合して締め込むことにより、各枠体１２，１２が一体に固着される。
【００１４】
〔作用効果〕
このような実施形態における建設機械用熱交換器の防塵ネットでは、防塵ネットが小型で軽量化された小型ネット１０を、各種建設機械用熱交換器のサイズに合うように組み合わせて大型の防塵ネット（組合せネット３０）を形成できるようになったことにより、運搬、組立て、清掃の作業性が向上でき、さらに、部分的な補修が容易で、冷却風の圧力に耐え得る適度な剛性のある軽量な防塵ネットが実現できる。
【００１５】
この建設機械用熱交換器の防塵ネットでは、小型ネット１０を組み合わせて大型の防塵ネット（組合せネット３０）を形成したとしても、必要な剛性を有しながらも、厚みを必要以上に厚くすることなく形成でき、防塵ネットの取付け、組立て、分解、運搬等の取り扱いを容易にすることができる。
固着方法の選択が広くなり、着脱自在にも、恒久的に固着することも、どちらによっても成形できて、剛性の高い任意の大きさの、熱交換器に合わせた大きさの防塵ネットに形成することができる軽量な樹脂製防塵ネットができる。
【図面の簡単な説明】
【００１６】
【図１】本発明の実施態様に係る建設機械用熱交換器の防塵ネットにおける組合せネットを示す正面図である。
【図２】同上建設機械用熱交換器の防塵ネットにおける小型ネットを示す説明図で、（Ａ）は正面図、（Ｂ）は側面図である。
【図３】同上建設機械用熱交換器の防塵ネットにおける枠体の接続状況を示す部分拡大説明図である。
【図４】従来の建設機械用熱交換器における直列配置された熱交換器の防塵ネットを示す斜視図である。
【図５】従来の建設機械用熱交換器における並列配置された熱交換器の防塵ネットを示す斜視図である。
【符号の説明】
【００１７】
１  熱交換器
２  フレーム
３  網
４  ファンカバー
５  締結部品
１０  小型ネット
１１  ネット部
１２  枠体
１２ａ  太枠
１２ｂ  細枠
１２ｃ  重合せ部位の突出部
１３  ボルト
１４  ナット
３０  組合せネット
【図１】
2008241128.tif 000003
【図２】
2008241128.tif 000004
【図３】
2008241128.tif 000005
【図４】
2008241128.tif 000006
【図５】
2008241128.tif 000007